(57)【要約】【課題】  短時間で容易に充電でき、充電中は駆動モーターが回転せず、充電後にスライドスイッチによって電機回路を開閉自在とした走行玩具及びその充電装置を提供する。【解決手段】  充電式電池を搭載する走行玩具と該充電式電池に充電するための乾電池を収納する充電装置からなり、充電時には駆動モーターの電気回路が閉成されるように充電装置の押上げ用突起が走行玩具のスライドスイッチを押し上げ、充電後も駆動モーターの電気回路が閉成状態を保持し、該スライドスイッチの上端を押圧すると駆動モーターの電気回路が開成され走行玩具を走行可能にすると共に、スライドスイッチの下端を押し上げると再び駆動モーターの電気回路が閉成されるように構成する。【選択図】  図１
2006075545.tif 000002
【特許請求の範囲】
【請求項１】
充電式電池を搭載する走行玩具と該充電式電池に充電するための乾電池を収納する充電装置からなり、走行玩具にはスライドスイッチが具備されており、該スライドスイッチは充電時に於いて、充電装置に設けた押上げ用突起によって押し上げられ、駆動モーターの電気回路を閉成状態に保持し、充電後、該スライドスイッチの上端を押圧して駆動モーターの電気回路を開成して走行玩具を走行可能にすると共に、スライドスイッチの下端を押し上げると再び駆動モーターの電気回路が閉成されるように構成したことを特徴とする走行玩具及びその充電装置。
【発明の詳細な説明】
【技術分野】
【０００１】  本発明は充電式電池を搭載する走行玩具と該充電式電池に充電するための乾電池を収納する充電装置からなり、充電時には駆動モーターの電気回路が閉成されるように充電装置の突起が走行玩具のスライドスイッチを押し上げ、充電後も駆動モーターの電気回路が閉成状態を保持し、該スライドスイッチの上端を押圧すると駆動モーターの電気回路が開成され走行玩具を走行可能にすると共に、スライドスイッチの下端を押し上げると再び駆動モーターの電気回路が閉成されるように構成した走行玩具及びその充電装置に関するものである。
【背景技術】
【０００２】  従来、種々の走行玩具用の充電装置が考案されているが、例えば実公昭６２−４０６２２号公報に開示されているように、駆動用モーターの端子間にコンデンサを設け、同コンデンサの端子間に連なる充電装置用端子を具えた走行玩具にたいする充電装置において、同走行玩具の充電時に規定位置に停止させるための出没自在に装設したストッパーと、同規定位置において上記充電端子に対向する接点と、駆動用車輪に対向するローラーを突設した基台を形成し、同基台にはストッパーの下側にその突出位置で保持するための係止部材と、同ストッパーをセットするためのアームと、上記ローラに減速装置を介して連係し上記係止部材を応動させるためのカム部材を設けてなることを特徴とする走行玩具の充電装置が考案されている。【０００３】
【実用新案文献１】
実公昭６２−４０６２２号公報
【０００４】  しかしながら、前記せる走行玩具用の充電装置においては、充電装置の接点が走行玩具の充電用端子に接触して走行玩具に搭載されたコンデンサに充電がおこなわれている最中でもモーターが駆動されており、駆動用車輪が充電装置に具えられたローラを回転し続けているものである。
【発明の開示】
【発明が解決しようとする課題】
【０００５】  本発明が解決しようとする課題は、充電時には駆動モーターの電気回路が閉成されるように充電装置の突起が走行玩具のスライドスイッチを押し上げ、充電後も駆動モーターの電気回路が閉成状態を保持し、該スライドスイッチの上端を押圧すると駆動モーターの電気回路が開成され走行玩具を走行可能にすると共に、スライドスイッチの下端を押し上げると再び駆動モーターの電気回路が閉成されるように構成した走行玩具及びその充電装置を提供する。
【課題を解決するための手段】
【０００６】    本発明は、前記せるような従来の課題を解決するために鋭意研究の結果、発明されたものであり、充電式電池を搭載する走行玩具と該充電式電池に充電するための乾電池を収納する充電装置からなり、充電時には駆動モーターの電気回路が閉成されるように構成したことを特徴とし、且つ、走行玩具にはスライドスイッチが具備されており、該スライドスイッチは充電時に於いて、充電装置に設けた突起によって押し上げられ、駆動モーターの電気回路を閉成状態に保持し、充電後、該スライドスイッチの上端を押圧して駆動モーターの電気回路を開成して走行玩具を走行可能にすると共に、スライドスイッチの下端を押し上げると再び駆動モーターの電気回路が閉成されるように構成したことを特徴とする走行玩具及びその充電装置である。
【発明の効果】
【０００７】  本発明によれば、充電式電池を搭載する走行玩具と該充電式電池に充電するための乾電池を収納する充電装置からなり、充電時には駆動モーターの電気回路が閉成されるように充電装置の突起が走行玩具のスライドスイッチを押し上げ、充電後も駆動モーターの電気回路が閉成状態を保持し、該スライドスイッチの上端を押圧すると駆動モーターの電気回路が開成され走行玩具を走行可能にすると共に、スライドスイッチの下端を押し上げると再び駆動モーターの電気回路が閉成されるように構成されている。
従来の走行玩具では充電中でも駆動モーターが回転していたり、あるいは充電装置から走行玩具を離した時点で駆動モーターが回転してしまうため、レールに乗せた時点でレールから飛び出してしまったり、数台で走行競争をさせる場合でも一斉にスタートさせることが困難であった。
また、ユーザーは競技以外でも、このような走行玩具で走らせたり止めたりしながら様々な走行のさせ方を楽しみたいと希望していても従来の電気回路が開成したままの駆動モーター走行玩具では走りっぱなしになるため不可能であった。
本発明はその点を改良し、走行玩具本来の遊び方、つまり一度の充電装置で、静止状態から走行状態にさせたり、走行状態から静止状態にさせたりすることを、自由自在に繰り返し行えるようにしたものである。
【発明を実施するための最良の形態】
【０００８】  以下、図面に基づいて、本発明を実施するための最良の形態を具体的に説明する。
図面に於いて、図１は走行玩具の全体斜視図である。図２は充電装置の全体斜視図である。図３は充電中に於ける走行玩具と充電装置の側面図である。図４は走行玩具の平面図である。図５は走行玩具の底面図である。図６は車体カバーを取り外した走行玩具の平面図である。図７は充電式電池用カバーを取り外した走行玩具の平面図である。図８はスライドスイッチの操作説明図である。図９はスライドスイッチの操作説明図である。【０００９】    本発明は、前記せるような従来の課題を解決するために鋭意研究の結果、発明されたものであり、充電式電池１５を搭載する走行玩具と該充電式電池１５に充電するための乾電池（図示せず）を収納する充電装置６からなり、充電時には駆動モーター１６の電気回路が閉成されるように構成したことを特徴とし、且つ、走行玩具にはスライドスイッチ２が具備されており、該スライドスイッチ２は充電時に於いて、充電装置６に設けた押上げ用突起１０によって押し上げられ、駆動モーター１６の電気回路を閉成状態に保持し、充電後、該スライドスイッチ２の上端を押圧して駆動モーターの電気回路を開成して走行玩具を走行可能にすると共に、スライドスイッチ２の下端を押し上げると再び駆動モーター１６の電気回路が閉成されるように構成したことを特徴とする走行玩具及びその充電装置である。【００１０】  従来の走行玩具では充電中でも駆動モーターが回転していたり、あるいは充電装置から走行玩具を離した時点で駆動モーターが回転してしまうため、レールに乗せた時点でレールから飛び出してしまったり、数台で走行競争をさせる場合でも一斉にスタートさせることが困難であった。
また、ユーザーは競技以外でも、このような走行玩具で走らせたり止めたりしながら様々な走行のさせ方を楽しみたいと希望していても従来の電気回路が開成したままの駆動モーター走行玩具では走りっぱなしになるため不可能であった。
本発明はその点を改良し、走行玩具本来の遊び方、つまり一度の充電装置で、静止状態から走行状態にさせたり、走行状態から静止状態にさせたりすることを、自由自在に繰り返し行えるようにしたものである。【００１１】  図１に示すように、走行玩具の外観はシャーシ５に嵌合する車体カバー１、前輪３、駆動輪４からなり、車体カバー１よりスライドスイッチ２の先端が突出しており、図２に示すように充電装置６の上面には、位置合わせ用突起７と充電用端子８，９及び押上げ用突起１０が形成されている。充電装置６にはアルカリ乾電池のような乾電池（図示せず）が電気的に直列に収納され、前記充電用端子８，９に電気的に接続されている。【００１２】  走行玩具に収納されている充電式電池１５に充電するには、図３に示すように、充電装置６の上に走行玩具を載置し、手でかるく押さえれば短時間に容易に充電することができ、この時充電装置６上に形成された押上げ用突起１０がスライドスイッチ下端部２０１を押上げ、駆動回路は閉成され、駆動輪４の回転は中止される。【００１３】  充電が完了した後、押し上げられたスライドスイッチ２の先端部を押せば、駆動回路が開成されモーター１６の回転力が、図４に示すギヤ１１，１２，１３，１４からなるギヤ列によって駆動輪４に伝達され走行玩具を走行させることができる。前輪３はシャフト３１に保持され常にフリーで回転自在であるが、シャフト４１に保持された駆動輪４は、前記するようにギヤ列を介して回転される。【００１４】  図５では走行玩具の底面図を示しているが、シャーシ５の底面前方には孔部５１が形成され後方には孔部５２が形成されており、それぞれ車体カバー先端部１０１と車体カバー後端部１０２とが嵌着され、シャーシ５に車体カバー１が固定されている。車体カバー１を外した条田の走行玩具の平面図は図６に示す通りである。また、シャーシ５には位置合わせ孔５３が形成されているが、これは充電時において、充電装置６の充電用端子８，９がそれぞれ走行玩具の端子８１，９１に対応接触できるようにするための位置合わせ孔である。【００１５】  図７、図８乃至図９によって、スライドスイッチ２の機構を更に詳しく説明する。
すなわち、充電時において、充電装置６の押上げ用突起１０がスライドスイッチ２を押し上げると図８に示すように、充電装置式電池１５から電気的に接続されている
弾性導電部材１７は、スライドスイッチ２の上昇に伴い、該スライドスイッチ２の側面に形成されたテーパー部２０１によって、モーター１６のプラス接点から離脱し、モーター１６の駆動は中止される。
充電完了後に再びスライドスイッチ２を上部より押せば、図８に示すように、弾性導電部材１７はモーター１６のプラス接点に接触し、モーター１６が始動する。モーターの駆動を止める場合には、図５にしめされているスライドスイッチ下端部２０１をかるく押し上げれば弾性導電部材１７は再び図８に示す位置に戻り、モーター１６の駆動は中止される。
【産業上の利用可能性】
【００１６】  以上説明したような本発明の構成によれば、片手で容易に走行玩具に搭載の充電式電池を充電することができると共に、従来のような充電中の駆動車輪の回転継続のわずらわしさはなく、また不意に走行車を離した時にいきなり走行車が飛び出す危険もなく、安心して落ち着いて走行玩具によって遊ぶことができるので、走行玩具の利用者に安心して供することのできるものであって、産業上の利用可能性が高いものである。
【図面の簡単な説明】
【００１７】
【図１】  走行玩具の全体斜視図である。
【図２】  充電装置の全体斜視図である。
【図３】  充電中に於ける走行玩具と充電装置の側面図である。
【図４】  走行玩具の平面図である。
【図５】  走行玩具の底面図である。
【図６】  車体カバーを取り外した走行玩具の平面図である。
【図７】  充電式電池用カバーを取り外した走行玩具の平面図である。
【図８】  スライドスイッチの操作説明図である。
【図９】  スライドスイッチの操作説明図である。
【符号の説明】
【００１８】    １．  車体カバー
１０１．  車体カバー先端部
１０２．  車体カバー後端部
２．  スライドスイッチ
２０１．  スライドスイッチ下端部
２０２．  テーパー部
３．  前輪
３１．  シャフト
４．  駆動輪
４１．  シャフト
５．  シャーシ
５１．  孔部
５２．  孔部
５３．  位置合わせ孔
６．  充電装置
７．  位置合わせ用突起
８．  充電用端子
８１．  端子
９．  充電用端子
９１．  端子
１０．  押上げ用突起
１１．  ギヤ
１２．  ギヤ
１３．  ギヤ
１４．  ギヤ
１５．  充電式電池
１６．  駆動モーター
１７．  弾性導電部材
１８．  充電式電池用カバー
【図１】
2006075545.tif 000003
【図２】
2006075545.tif 000004
【図３】
2006075545.tif 000005
【図４】
2006075545.tif 000006
【図５】
2006075545.tif 000007
【図６】
2006075545.tif 000008
【図７】
2006075545.tif 000009
【図８】
2006075545.tif 000010
【図９】
2006075545.tif 000011